(57)【要約】【課題】コンクリートの打設圧により変形しない配筋用スペーサーを提供する。【解決手段】上面が凹入する受架部１を有する上辺受架杆２と、この受架杆の両端から連なって下方に延びる側辺脚杆３とで構成したＭ形のスタンドと、接地杆４と、この接地杆の両端から連なって上方に延びる長尺杆５及び短尺杆６と、この長尺杆及び短尺杆の上端から連なって上記接地杆の上方方向に延びる突出杆とで構成した接地材とからなり、上記脚杆の下端に上記接地杆の途中を、また上記脚杆の下部上下に上記両突出杆の突出方向端を溶接により固定した構成を採用する。【選択図】図１
2011032739.tif 000002
【特許請求の範囲】
【請求項１】
上面が凹入する受架部を有する上辺受架杆と、この受架杆の両端から連なって下方に延びる側辺脚杆とで構成したＭ形のスタンドと、接地杆と、この接地杆の両端から連なって上方に延びる長尺杆及び短尺杆と、この長尺杆及び短尺杆の上端から連なって上記接地杆の上方方向に延びる突出杆とで構成した接地材とからなり、上記脚杆の下端に上記接地杆の途中を、また上記脚杆の下部上下に上記両突出杆の突出方向端を溶接により固定したことを特徴とする配筋用スペーサー。
【請求項２】
上面が凹入する受架部を有する上辺受架杆と、この受架杆の両端から連なって下方に延びる側辺脚杆とで構成したＭ形のスタンドと、受け止め杆と、この受け止め杆の両端から連なって下方に延びる並行脚部杆とで構成した接地材とからなり、上記脚杆の下端と両脚部杆の下端とが接地する同レベルになるように上記脚杆の下部に上記受け止め杆の中間部を溶接により固定したことを特徴とする配筋用スペーサー。
【請求項３】
上面が凹入する受架部を有する上辺受架杆と、この受架杆の両端から連なって下方に延びる側辺脚杆とで構成したＭ形のスタンドと、接地杆と、この接地杆の先端から連なって上方に延びる突出杆と、この突出杆の上端から連なって上記接地杆の上側で並行すると共に、前記接地杆よりも突出長さが短い受け止め杆とで構成した接地材とからなり、上記それぞれの脚杆の下端に接地杆の途中を、また脚杆の下部に上記受け止め杆の突出方向端を溶接により固定したことを特徴とする配筋用スペーサー。
【請求項４】
上面が凹入する受架部を有する上辺受架杆と、この受架杆の両端から連なって下方に延びる側辺脚杆とで構成したＭ形のスタンドと、水平杆と、この水平杆の両端から連なって下方に延びる並列脚縦杆とで構成した接地材とからなり、上記脚杆及び脚縦杆の下端が同レベルになるようにして前記脚杆に片方の脚縦杆を溶接により固定したことを特徴とする配筋用スペーサー。
【請求項５】
上面が凹入する受架部を有する上辺受架杆と、この受架杆の両端から連なって下方に延びる側辺脚杆とで構成したＭ形のスタンドと、水平な接地杆と、この接地杆の両端から連なって上方に延びる片方長尺脚杆及びもう片方短尺脚杆と、この長尺脚杆及び短尺脚杆の上端から連なって互いに内方に延びると共に、突出方向に下り勾配の高低差のある上段傾斜杆及び下段傾斜杆とで構成した接地材とからなり、上記接地杆の中間に上記脚杆の下端を、上記脚杆の下部上下に上記上段傾斜杆及び下段傾斜杆の突出方向端をそれぞれ溶接により固定したことを特徴とする配筋用スペーサー。
【発明の詳細な説明】
【技術分野】
【０００１】
この発明は、コンクリート構造物の補強用鉄筋の配筋に際し使用するスペーサーに関する。
【背景技術】
【０００２】
各種コンクリート構造物を製造する場合、そのコンクリート構造物の補強用鉄筋を同構造物成形用型枠の堰板に安定よく支持させて、その鉄筋に対する打設コンクリートのかぶり厚さを一定に正しく保つ必要がある。
【０００３】
そこで鉄筋を配筋する際に、一定の高さに鉄筋を支持するスペーサーを用いる（例えば、特許文献１及び特許文献２参照）。
【先行技術文献】
【特許文献】
【０００４】
【特許文献１】特開２００１−３２４４５号公報
【特許文献２】特許第３７６９５４８号公報
【発明の概要】
【発明が解決しようとする課題】
【０００５】
ところで、特許文献１のスペーサーによると、鉄筋支持スタンドの並列両脚柱の下部をコンクリート製接地ブロックに埋設させて、上記脚柱に接地ブロックを一体化している。
【０００６】
このような構成によると、接地ブロックに対する脚柱の下部の埋没深さにバラツキがあると、スタンドの鉄筋受け止め凹曲面に受架させた鉄筋の配筋高さが一定でない。
【０００７】
このため、製造時における脚柱の下部を埋没深さに細心の注意を必要とし、大量生産ができないと共に、大幅なコストアップになる。
【０００８】
次に特許文献２のスペーサーによると、鉄筋用スペーサーに於いて、鉄筋支持スタンドの両脚柱の途中にＬ形の第１棚筋受け止め爪及びＬ形の第２棚筋受け止め爪を設けたものである。
【０００９】
このような構成によると、脚柱に溶接により設けたＬ形の第１、第２受け止め爪に配筋した棚筋を上方から落とし込んで受架するので、流し込むコンクリートの打設圧により受け止め爪が下向きに変形し、変形にともない棚筋の配筋位置が低くなって定位置に配筋位置を確保することができなかったり、或いは変形にともない受け止め爪から棚筋が外れる問題があった。
【００１０】
また、脚柱の途中に溶接により受け止め爪を固着するので、受け止め爪の配置位置決めと、位置決めを維持しながら溶接により固着する煩わしい作業により大量生産に適さず、勢い大幅なコストアップになる問題もあった。
【００１１】
そこで、この発明は、上述の問題点を解決した配筋用スペーサーを提供することにある。
【課題を解決するための手段】
【００１２】
上記の課題を解決するために、この発明は、上面が凹入する受架部を有する上辺受架杆と、この受架杆の両端から連なって下方に延びる側辺脚杆とで構成したＭ形のスタンドと、接地杆と、この接地杆の両端から連なって上方に延びる長尺杆及び短尺杆と、この長尺杆及び短尺杆の上端から連なって上記接地杆の上方方向に延びる突出杆とで構成した接地材とからなり、上記脚杆の下端に上記接地杆の途中を、また上記脚杆の下部上下に上記両突出杆の突出方向端を溶接により固定した配筋用スペーサーを採用する。
【００１３】
また、上面が凹入する受架部を有する上辺受架杆と、この受架杆の両端から連なって下方に延びる側辺脚杆とで構成したＭ形のスタンドと、受け止め杆と、この受け止め杆の両端から連なって下方に延びる並行脚部杆とで構成した接地材とからなり、上記脚杆の下端と両脚部杆の下端とが接地する同レベルになるように上記脚杆の下部に上記受け止め杆の中間部を溶接により固定した配筋用スペーサーを採用する。
【００１４】
さらに、上面が凹入する受架部を有する上辺受架杆と、この受架杆の両端から連なって下方に延びる側辺脚杆とで構成したＭ形のスタンドと、接地杆と、この接地杆の先端から連なって上方に延びる突出杆と、この突出杆の上端から連なって上記接地杆の上側で並行すると共に、前記接地杆よりも突出長さが短い受け止め杆とで構成した接地材とからなり、上記それぞれの脚杆の下端に接地杆の途中を、また脚杆の下部に上記受け止め杆の突出方向端を溶接により固定した配筋用スペーサーを採用する。
【００１５】
また、上面が凹入する受架部を有する上辺受架杆と、この受架杆の両端から連なって下方に延びる側辺脚杆とで構成したＭ形のスタンドと、水平杆と、この水平杆の両端から連なって下方に延びる並列脚縦杆とで構成した接地材とからなり、上記脚杆及び脚縦杆の下端が同レベルになるようにして前記脚杆に片方の脚縦杆を溶接により固定した配筋用スペーサーを採用する。
【００１６】
さらに、上面が凹入する受架部を有する上辺受架杆と、この受架杆の両端から連なって下方に延びる側辺脚杆とで構成したＭ形のスタンドと、水平な接地杆と、この接地杆の両端から連なって上方に延びる片方長尺脚杆及びもう片方短尺脚杆と、この長尺脚杆及び短尺脚杆の上端から連なって互いに内方に延びると共に、突出方向に下り勾配の高低差のある上段傾斜杆及び下段傾斜杆とで構成した接地材とからなり、上記接地杆の中間に上記脚杆の下端を、上記脚杆の下部上下に上記上段傾斜杆及び下段傾斜杆の突出方向端をそれぞれ溶接により固定した構成を採用する。
【発明の効果】
【００１７】
以上のように、この発明の配筋用スペーサーによれば、スタンドの受架部と接地材の突出杆とで配筋した鉄筋を安定よく受架すると共に、スタンドに溶接により固定した接地材が、接地杆と、この接地杆の両端から連なって上方に延びる長尺杆及び短尺杆と、この長尺杆及び短尺杆の上端から連なって上記接地杆の上方方向に延びる突出杆とで構成してあるので、鉄筋の受架突出杆が流し込むコンクリートの打設圧により下方に変形するのを脚杆と突出杆との溶接部分及び接地杆と突出杆とを連結する長尺杆により阻止する。
【００１８】
このため、突出杆上の配筋鉄筋高さを安定よく維持することができると共に、接地材によってスタンドの安定した起立状態も維持することができる。
勿論、接地杆の変形を脚杆に溶接した長尺杆及び短尺杆の両突出杆により防止する。
【００１９】
また、鉄筋を受架した接地材の受け止め杆のコンクリート打設圧による変形を、脚部材の突っ張りにより阻止すると共に、両脚部杆によりスタンドの安定した起立状態の維持をはかることができる。
【００２０】
さらに、スタンドの脚杆に溶接により固定した受け止め杆の打設コンクリートの圧による変形を、接地杆と受け止め杆とを連結する突出杆により阻止することができるので、受け止め杆上に配筋した鉄筋の高さを一定に保つことができる。
【００２１】
また、スタンドの脚杆に片方を溶接により固定した並列縦脚杆の上端を連結して水平杆を設け、この水平杆の上に鉄筋を配筋するので、打設コンクリート圧による水平杆の変形を縦脚杆により阻止して、安定した位置に鉄筋を保持することができ、接地材の縦脚杆によりスタンドの安定した起立状態を維持することもできる。
【００２２】
さらに、スタンドの両脚杆の下端に設けた接地材に高低差のある上段傾斜杆と下段傾斜杆を設けてあるので、下部鉄筋を上段傾斜杆、下段傾斜杆上に配筋することができると共に、上段、下段傾斜杆の選択によって下部鉄筋の配筋高さを変更することができ、また上段、下段傾斜杆が下り勾配（脚杆に向け）になっているので、配筋した下部鉄筋のすべり落ちがない。
【図面の簡単な説明】
【００２３】
【図１】図１は、この発明の第１の実施形態のスペーサーを示す斜視図である。
【図２】図２は、同上の使用状態を示す側面図である。
【図３】図３は、同正面図である。
【図４】図４は、第２の実施形態のスペーサーを示す斜視図である。
【図５】図５は、同上の使用状態を示す側面図である。
【図６】図６は、第３の実施形態のスペーサーを示す斜視図である。
【図７】図７は、同上の使用状態を示す側面図である。
【図８】図８は、第４の実施形態のスペーサーを示す斜視図である。
【図９】図９は、同上の使用状態を示す側面図である。
【図１０】図１０は、第５の実施形態を示す斜視図である。
【図１１】図１１は、同上の使用状態を示す側面図である。
【発明を実施するための形態】
【００２４】
この発明の実施形態を添付図面に基づいて説明する。
【００２５】
第１の実施形態の図１から図３に示すＡは、スタンドである。
上記スタンドＡは、上面が凹入する受架部１を有する上辺受架杆２と、この受架杆２の両端から連なって下向きに延びる側辺脚杆３，３とでＭ形に構成され、鉄筋を曲げ加工して形成する。
【００２６】
Ｂは接地材である。
上記の接地材Ｂは、接地杆４と、この接地杆４の両端から連なって上方に延びる並列長尺杆５及び短尺杆６と、この長尺杆５及び短尺杆６の上端から連なって接地杆４の上方方向（互いに内向きで、かつ上下で並列するように）に延びる突出杆７，８とで構成され、鉄筋を曲げ加工して形成する。
【００２７】
そして、スタンドＡの両脚杆３の下端に接地杆４の中間部分を、脚杆３の下端部の上下に両突出杆７，８の突出方向端をそれぞれ溶接により固着して配筋用スペーサーＸを形成する。
【００２８】
上記のように構成した配筋用スペーサーＸは、図２，３に示すようにコンクリート構造物の成形用型枠の堰板Ｙ上で起立させ、受架部１に上部の鉄筋Ｚを載置して受架する。
【００２９】
この載置した上部の鉄筋Ｚ上に交差させて上部の鉄筋Ｚを（図３に示す）載置することもある。
【００３０】
また、突出杆７の上に下部の鉄筋Ｚを載置して受架する。
その際、図示のように突出杆７を長尺杆５から脚杆３の方向に下り勾配に傾斜させておくと、載置した下部の鉄筋Ｚのすべり移動による落下をなくすることができる。
勿論、載置した鉄筋Ｚは、結束線（図示省略）で受架杆２や突出杆７に止めておく。
【００３１】
すると、流し込むコンクリートの打設圧により接地材Ｂの突出杆７が変形しようとしても、接地杆４と突出杆７とを連結する長尺杆５により阻止し、下部の鉄筋Ｚの設定高さの埋没を保障する。
【００３２】
この発明の第２の実施形態の図４，５に示すＡは、スタンドである。
上記のスタンドＡは、第１の実施形態と同様につき構成の説明を省略する。
【００３３】
Ｃは接地材である。
上記の接地材Ｃは、受け止め杆１１と、この受け止め杆１１の両端から連なって下方に延びる並列脚部杆１２とで構成され、鉄筋を曲げ加工して形成する。
【００３４】
上記の接地材Ｃは、スタンドＡの脚杆３と脚部杆１２との下端が同レベルになるように脚杆３の下部に受け止め杆１１の中間部分を溶接により固定する。その際、スタンドＡの前後に並列脚部杆１２を位置させておく。
【００３５】
なお、脚部杆１２の下端に略直角に屈曲した接地部１３を設けて、安定よく接地させるようにしたが、限定されない。
【００３６】
上記のように構成した配筋用スペーサーＸは、第１の実施形態と同様に型枠の堰板Ｙ上で起立させ、受架部１に鉄筋Ｚを載置して受架する。
また、受け止め杆１１の上に鉄筋Ｚを載置して受架する。
【００３７】
なお、受け止め杆１１を図示のように上面が凹入する形状に湾曲させておくと、載置した鉄筋Ｚのすべり移動による落下をなくすることができる。
【００３８】
すると、流し込むコンクリートの打設圧により受け止め杆１１が変形しようとしても、並列脚部杆１２により防止して、鉄筋Ｚの埋没高さの安定した埋没を保障する。
【００３９】
この発明の第３の実施形態の図６，７に示すＡは、スタンドである。
上記のスタンドＡは、第１の実施形態と同様につき構成の説明を省略する。
【００４０】
Ｄは接地材である。
上記の接地材Ｄは、接地杆２１と、この接地杆２１の先端から連なって上方に延びる突出杆２２と、この突出杆２２の上端から連なって接地杆２１の上側で並行すると共に、接地杆２１よりも突出長さの短い受け止め杆２３とで構成され、鉄筋を曲げ加工して形成する。
【００４１】
上記の接地材Ｄは、スタンドＡの脚杆３の下端に接地杆２１の途中を、脚杆３の下部に受け止め杆２３の突出方向端を、上記接地材Ｄが並行するように溶接により固定する。
【００４２】
上記のように構成した配筋用スペーサーＸは、第１の実施形態と同様に型枠の堰板Ｙ上で起立させ、受架部１に鉄筋Ｚを載置して受架する。
また、受け止め杆２３の上に鉄筋Ｚを載置して受架する。
【００４３】
すると、流し込むコンクリートの打設圧により接地杆Ｄの受け止め杆２３が変形しようとしても、脚杆３に受け止め杆２３の突出方向端が溶接により固着してあり、接地杆２１と受け止め杆２３とが突出杆２２で連結してあるので変形が阻止され、鉄筋Ｚの安定した埋設高さを保障する。
【００４４】
この発明の第４の実施形態の図８，９に示すＡは、スタンドである。
上記のスタンドＡは、第１の実施形態と同様につき構成の説明を省略する。
【００４５】
Ｅは接地材である。
上記の接地材Ｅは、水平杆３１と、この水平杆３１の両端から連なって下方に延びる並列脚縦杆３２，３２とで構成され、鉄筋を曲げ加工して形成する。
【００４６】
上記の接地材Ｅは、脚杆３の下端と脚縦杆３２の下端とが同レベルになるようにして、脚杆３に下方の脚縦杆３２を（このとき、接地材Ｅ，Ｅが並列状になるようにして）溶接により固定する。
【００４７】
上記のように構成した配筋用スペーサーＸは、第１の実施形態と同様に型枠の堰板Ｙ上で起立させ、受架部１に鉄筋Ｚを載置して受架する。
また、水平杆３１の上に鉄筋Ｚを載置して受架する。
【００４８】
すると、流し込むコンクリートの打設圧により水平杆３１が変形しようとしても、脚縦杆３２の突っ張りによって変形が阻止され、鉄筋Ｚの安定した埋設高さを保障する。
【００４９】
なお、水平杆３１を図９に示すように脚杆３方向に下り勾配としておくと、載置した鉄筋Ｚのすべり落下を防止する。
【００５０】
この発明の第５の実施形態の図１０，１１に示すＡは、スタンドである。
上記のスタンドＡは、第１の実施形態と同様につき構成の説明を省略する。
【００５１】
Ｆは接地材である。
上記の接地材Ｆは、接地杆４１と、この接地杆４１の両端から連なって上方に延びる片方長尺脚杆４２及びもう片方短尺脚杆４３と、この長尺脚杆４２及び短尺脚杆４３の上端から連なって互いに内方に延びると共に、突出方向に下り勾配の高低差のある上段傾斜杆４４及び下段傾斜杆４５とで構成され、鉄筋を曲げ加工して形成する。
【００５２】
そして、接地杆４１の中間にスタンドＡの脚杆３の下端を溶接により固定し、脚杆３の下段に上段傾斜杆４４及び下段傾斜杆４５の突出方向端を溶接により固定する。
【００５３】
上記のように構成した配筋用スペーサーＸは、第１の実施形態と同様に型枠の堰板Ｙ上で起立させ、受架部１に鉄筋Ｚを載置して受架する。
【００５４】
また、上段傾斜杆４４或いは下段傾斜杆４５の上に下部鉄筋Ｚを載置して受架する。
すると、流し込むコンクリートの打設圧により接地材Ｆの上段傾斜杆４４や下段傾斜杆４５が変形しようとしても、長尺脚杆４２及び短尺脚杆４３の突っ張り及び脚杆３に対する固定溶接部で阻止され、下部鉄筋Ｚの安定した埋設高さを保障する。
【００５５】
なお、各実施形態の接地材４，２１，４１を、堰板Ｙに対する接地面積を少なくする（例えば、屈曲させたりして、点在的に接地させる）ことで、打設コンクリートの剥離が少なくなる。
【符号の説明】
【００５６】
Ａ  スタンド
Ｂ  接地材
Ｃ  接地材
Ｄ  接地材
Ｅ  接地材
Ｆ  接地材
Ｘ  スペーサー
Ｙ  堰板
Ｚ  鉄筋
１  受架部
２  受架杆
３  脚杆
４  接地杆
５  長尺杆
６  短尺杆
７，８  突出杆
１１  受け止め杆
１２  脚部杆
２１  接地杆
２２  突出杆
２３  受け止め杆
３１  水平杆
３２  脚縦杆
４１  接地杆
４２  長尺脚杆
４３  短尺脚杆
４４  上段傾斜杆
４５  下段傾斜杆
【図１】
2011032739.tif 000003
【図２】
2011032739.tif 000004
【図３】
2011032739.tif 000005
【図４】
2011032739.tif 000006
【図５】
2011032739.tif 000007
【図６】
2011032739.tif 000008
【図７】
2011032739.tif 000009
【図８】
2011032739.tif 000010
【図９】
2011032739.tif 000011
【図１０】
2011032739.tif 000012
【図１１】
2011032739.tif 000013